(57)【要約】      （修正有）【課題】ＣｏＭＰ（多地点協調）におけるシグナリング情報交換のための装置および方法を提供すること。【解決手段】ＣｏＭＰにおけるシグナリング情報交換のための方法は、サービスＴＰ（送信ポイント）および少なくとも１つの隣接ＴＰが、少なくとも１つのＵＥ（ユーザ機器）にＣｏＭＰを提供する。サービスＴＰによって、少なくとも１つの隣接ＴＰのうちの１つからの、サービスＴＰに対する潜在的な重要度／コストを評価するステップと、サービスＴＰによって、潜在的な重要度／コストを示す、重要度／コストのインジケータを１つの隣接ＴＰに送信するステップと、を含む。重要度／コストのインジケータが、１つの隣接ＴＰに対する特定の送信仮説に従って起こる干渉レベルまたは１つの隣接ＴＰに対する特定の送信仮説に従って起こるネットワーク容量低下を示す。【選択図】図２
2018011336.tif 000002
【特許請求の範囲】
【請求項１】
ＣｏＭＰ（多地点協調）におけるシグナリング情報交換のための方法であって、サービスＴＰ（送信ポイント）および少なくとも１つの隣接ＴＰが、少なくとも１つのＵＥ（ユーザ機器）に前記ＣｏＭＰを提供する、方法において、
前記サービスＴＰによって、前記少なくとも１つの隣接ＴＰのうちの１つからの、前記サービスＴＰに対する潜在的な重要度／コストを評価するステップと、
前記サービスＴＰによって、前記潜在的な重要度／コストを示す、前記重要度／コストのインジケータを前記１つの隣接ＴＰに送信するステップと、
を含み、
前記重要度／コストの前記インジケータが、
前記１つの隣接ＴＰに対する特定の送信仮説に従って起こり得る干渉レベル、または、
前記１つの隣接ＴＰに対する特定の送信仮説に従って起こり得るネットワーク容量低下、
を示す、方法。
【請求項２】
前記シグナリング情報が、前記１つの隣接ＴＰのセルＩＤを示す、請求項１に記載の方法。
【請求項３】
圧縮されたプリコーダ・インジケータを前記１つの隣接ＴＰにシグナリングするステップをさらに含む、請求項１に記載の方法。
【請求項４】
周波数領域において、情報交換のための大きなサブバンド・サイズを使用することにより、前記シグナリング情報のペイロード・サイズを圧縮するステップをさらに含む、請求項１に記載の方法。
【請求項５】
時間領域において、前記シグナリング情報の有効期間を示す、または前記シグナリング情報によって保護されるべき選択されたサブフレームを示すように、タイマーまたは時間制約を適用するステップをさらに含む、請求項１に記載の方法。
【請求項６】
ＣｏＭＰ（多地点協調）におけるシグナリング情報交換のための装置であって、サービスＴＰ（送信ポイント）としてサービス提供し、前記ＣｏＭＰを、少なくとも１つの隣接ＴＰを有する少なくとも１つのＵＥ（ユーザ機器）に提供する、装置において、
前記隣接ＴＰのうちの１つからの、前記サービスＴＰに対する潜在的な重要度／コストを評価するための評価機と、
前記潜在的な重要度／コストを示す前記重要度／コストのインジケータを前記１つの隣接ＴＰに送信するための送信機と、
を備え、
前記重要度／コストの前記インジケータが、
前記１つの隣接ＴＰに対する特定の送信仮説に従って起こり得る干渉レベル、または、
前記１つの隣接ＴＰに対する特定の送信仮説に従って起こり得るネットワーク容量低下、
を示す、装置。
【発明の詳細な説明】
【技術分野】
【０００１】
本発明は、一般に、無線通信におけるシグナリング技術に関し、詳細には、多地点協調（ＣｏＭＰ：Ｃｏｏｒｄｉｎａｔｅｄ  Ｍｕｌｔｉ−Ｐｏｉｎｔ）においてシグナリング情報を交換するための装置および方法に関する。
【背景技術】
【０００２】
ＣｏＭＰ送受信は、カバレッジ、セル端スループット、および／またはスペクトル効率送信を改良する可能性があることにより、３ＧＰＰ（第３世代パートナーシップ・プロジェクト）ＬＴＥ−Ａ（Ｌｏｎｇ  Ｔｅｒｍ  Ｅｖｏｌｕｔｉｏｎ−Ａｄｖａｎｃｅｄ：ロング・ターム・エボリューション・アドバンスド）によって前途有望な技術として考えられている。協調スケジューリング／協調ビームフォーミング（ＣＳ／ＣＢ）は、複数の送信ポイント（ＴＰ：Ｔｒａｎｓｍｉｓｓｉｏｎ  Ｐｏｉｎｔ）間でのデータ共有を必要としないので、Ｘ２ベースの複数のｅＮＢ（ｅｖｏｌｖｅｄ  Ｎｏｄｅ  Ｂａｓｅ：発展型基地局）協調の場合の、ＣｏＭＰの最も実現可能な実装方式となった。ＣＢでは、ダウンリンク送信に適用された送信側プリコーディングは、様々なＴＰのカバレッジ・エリア間の干渉を減らすためにＴＰ間で調整される。ＣＳでは、送信電力およびリソース割当てが、干渉を減らすために調整される。
【０００３】
通常、ＣＳ／ＣＢは、協調クラスタ内のｅＮＢにわたる、調整され、同期がとたれた厳密な意思決定を必要とする。しかし、実ネットワークの場合、バックホールは理想的でなく、通常、約１５〜６０ｍｓの遅延がある。そうした遅延は、ＣＳ／ＣＢの協調効率に影響し、ＣＳ／ＣＢに対して設計上の大きな課題をもたらす恐れがある。
【発明の概要】
【発明が解決しようとする課題】
【０００４】
以上を考えた場合、ｅＮＢ間のシグナリング情報の交換に使用されるＸ２インタフェースは、遅延に関して確固たる情報を提供すべきであり、また各ｅＮＢが、適切な意思決定をして相乗効果でネットワーク全体の利益になるように支援できるべきである。したがって、拡張Ｘ２シグナリングが必要である。
【課題を解決するための手段】
【０００５】
本発明の実施形態は、遅延を伴って実ネットワークに適用され得るＸ２シグナリング情報を交換するための装置および方法を提供する。
【０００６】
本発明によるいくつかの実施形態は、ＣｏＭＰ（多地点協調）におけるシグナリング情報交換のための方法を提供し、そこでは、サービスＴＰ（送信ポイント）および少なくとも１つの隣接ＴＰが、少なくとも１つのＵＥ（Ｕｓｅｒ  Ｅｑｕｉｐｍｅｎｔ：ユーザ機器）にＣｏＭＰを提供する。方法は、サービスＴＰによって、少なくとも１つのＵＥからのプリコーダ・フィードバックを受信するステップであって、プリコーダが、少なくとも１つの隣接ＴＰのうちの１つに固有である、受信するステップと、サービスＴＰによって、プリコーダが固有の隣接ＴＰに送信されるかどうかを決定するステップと、もし送信されるならば、サービスＴＰによって、プリコーダを示すインジケータを圧縮し、また圧縮されたインジケータを固有の隣接ＴＰに送信するステップとを含む。
【０００７】
他の実施形態によれば、圧縮されたインジケータは、プリコーダの一部、類似のネットワーク重要度／コスト、ワーストＣＳＩプロセス（ｗｏｒｓｔ  ＣＳＩ  ｐｒｏｃｅｓｓ）、または固有の隣接ＴＰのＣＳＩ−ＲＳもしくはＣＳＩ−ＩＭＲを伴うプリコーダを含むプリコーダ・グループ、あるいはＸ２ベースのコードブック・サブサンプリングを伴うプリコーダを示す。シグナリング情報は、固有の隣接ＴＰのセルＩＤを示す。いくつかの実施形態では、方法は、固有の隣接ＴＰからの、サービスＴＰに対する潜在的なコストを示す、重要度／コスト・インジケータをシグナリングするステップをさらに含む。周波数領域において、情報交換のための大きなサブバンド・サイズを使用することにより、シグナリング情報のペイロード・サイズが圧縮される。時間領域において、方法は、シグナリング情報の期間の有効性を示す、またはシグナリング情報によって保護されるべき選択されたサブフレームを示すように、タイマーまたは時間制約を適用する。
【０００８】
本発明の実施形態はまた、ＣｏＭＰにおけるシグナリング情報交換のための装置も提供する。装置は、少なくとも１つのＵＥからの１つのプリコーダ・フィードバックを受信するための受信機であって、プリコーダが、少なくとも１つの隣接ＴＰのうちの１つに固有である、受信機と、プリコーダが固有の隣接ＴＰに送信されるかどうかを決定するためのスケジューリング・プロセッサと、もし送信されるならば、プリコーダを示すインジケータを圧縮し、また圧縮されたインジケータを固有の隣接ＴＰに送信するための、圧縮機および送信機とを備える。
【０００９】
本発明のいくつかの実施形態は、ＣｏＭＰにおけるシグナリング情報交換のための方法を提供する。方法は、サービスＴＰによって、隣接ＴＰのうちの１つからの、サービスＴＰに対する潜在的な重要度／コストを評価するステップと、サービスＴＰによって、潜在的な重要度／コストを示す重要度／コストのインジケータを１つの隣接ＴＰに送信するステップとを含む。
【００１０】
本発明の他の実施形態によれば、重要度／コストのインジケータは、１つの隣接ＴＰに対する特定の送信仮説に従って（ｗｉｔｈ  ａ  ｃｅｒｔａｉｎ  ｔｒａｎｓｍｉｓｓｉｏｎ  ｈｙｐｏｔｈｅｓｅｓ）起こり得る干渉レベル、１つの隣接ＴＰが従うべき、もしくは制約すべき起こり得る送信電力閾値、または１つの隣接ＴＰに対する特定の送信仮説に従って起こり得るネットワーク容量低下を示す。
【００１１】
本発明の実施形態はまた、ＣｏＭＰにおけるシグナリング情報交換のための装置も提供する。装置は、隣接ＴＰのうちの１つからの、サービスＴＰに対する潜在的な重要度／コストを評価するための評価機と、潜在的な重要度／コストを示す重要度／コストのインジケータを１つの隣接ＴＰに送信するための送信機とを含む。
【００１２】
したがって、本発明は、ＴＰ固有および分散スケジューリングにおいて有益であり、また実ネットワークにおいてＣｏＭＰを効率的にサポートすることができる。
【図面の簡単な説明】
【００１３】
【図１】本発明の一実施形態による、ＣｏＭＰ通信のためのシステムを示す概略図である。
【図２】本願の一実施形態による、ＣｏＭＰシステムにおけるシグナリング情報交換のための方法を示す流れ図である。
【図３】本発明の一実施形態による、ＣｏＭＰシステムにおけるシグナリング情報交換のための装置を示すブロック図である。
【図４】本願の別の実施形態による、ＣｏＭＰシステムにおけるシグナリング情報交換のための方法を示す流れ図である。
【図５】本発明の別の実施形態による、ＣｏＭＰシステムにおけるシグナリング情報交換のための装置を示すブロック図である。
【発明を実施するための形態】
【００１４】
添付の図面の詳細な説明は、本発明の現在推奨される実施形態を説明するものであり、本発明が実施され得る唯一の形態を表すものではない。同一または同等の機能が、本発明の趣旨および範囲内に包含されることを意図する様々な実施形態によって実現可能であることを理解されたい。
【００１５】
ＲＮＴＰ（Ｒｅｌａｔｉｖｅ  Ｎａｒｒｏｗｂａｎｄ  Ｔｒａｎｓｍｉｔ  Ｐｏｗｅｒ：相対狭帯域送信電力）、ＯＩ（Ｏｖｅｒｌｏａｄ  Ｉｎｄｉｃａｔｏｒ：過負荷インジケータ）、およびＨＩＩ（Ｈｉｇｈ  Ｉｎｔｅｒｆｅｒｅｎｃｅ  Ｉｎｄｉｃａｔｏｒ：高干渉インジケータ）として知られる、ＣＳのための現在のシグナリングは、ブロードキャストを使用して送信される。そうしたシグナリングでは、周波数領域の各ＰＲＢ（Ｐｈｙｓｉｃａｌ  Ｒｅｓｏｕｒｃｅ  Ｂｌｏｃｋ：物理リソース・ブロック）に対応するビットマップは、ＲＮＴＰによる相対ダウンリンク送信電力レベル、ＨＩＩによる相対アップリンク送信電力レベル、およびＯＩによる相対アップリンク干渉レベルを示す。非理想的バックホールは情報交換の短い遅延または長い遅延を伴うので、集中スケジューリングが機能しない恐れがある。したがって、そうしたＲＮＴＰ、ＯＩ、およびＨＩＩシグナリングは、ダウンリンクおよびアップリンク協調情報を限定する。
【００１６】
本発明は、非理想的バックホールの制約下で拡張Ｘ２シグナリングを用いてＣＳ／ＣＢを支援する実現可能な解決策を提供することにより、上記の問題を解決する。本発明は、動的チャネル状態、トラフィック負荷、バックホール遅延、および限られたバックホール容量に対処するのに十分なほど強固で柔軟である、最も重要なスケジューリング情報を特定する。
【００１７】
最新のＬＴＥ／ＬＴＥ−Ａでは、複数のＣＳＩプロセスおよびＩＭＲ（干渉測定リソース：Ｉｎｔｅｒｆｅｒｅｎｃｅ  Ｍｅａｓｕｒｅｍｅｎｔ  Ｒｅｓｏｕｒｃｅ）が導入され、それにより、複数のＴＰに対して同時のＣＳＩ測定を行う機会を提供することができる。複数のＣＳＩプロセスは、例えば様々なセル識別子（ＩＤ）を有するＣｏＭＰシナリオ３において、いくつかの固有の干渉ソースを特定し、測定することにより、チャネル測定の一定の戦術的利点につながる。
【００１８】
図１は、本発明の一実施形態による、ＣｏＭＰを採用するシステム１０を示す概略図である。
【００１９】
図１に示すように、サービスＴＰ１００および少なくとも１つの隣接ＴＰ１０２は、少なくとも１つのＵＥ（ユーザ機器）１０４にＣｏＭＰを提供する。すなわち、ＵＥ１０４は、サービスＴＰ１００によってアタッチされるか、サービス提供される。ＵＥ１０４が２つのＣＳＩプロセスを用いて構成されるとするならば、一方は、それ自身のサービング・セルから、すなわちサービスＴＰ１００からであり、他方は、優勢な干渉セルから、すなわち隣接ＴＰ１０２からである。
【００２０】
ＣＳ／ＣＢの観点から、そうしたＵＥ１０４は、隣接ＴＰ１０２にハンドオーバーされない限り、サービスＴＰ１００によってサービス提供される。さらに、分散スケジューリングの特性は同様に、サービスＴＰ１００が、Ｘ２インタフェースを通じた、サービスＴＰ１００由来の情報に関し、隣接ＴＰ１０２からの何らかの通知／確認情報を必要としない、または期待しないことを意味し得る。サービスＴＰ１００は、それ自身のスケジューリング決定の間、隣接ＴＰ１０２および他のＴＰ由来のＸ２シグナリングを考慮に入れることができる。
【００２１】
アップリンク過負荷インジケータ（ＯＩ）と類似して、Ｘ２シグナリングは、隣接ＴＰ１０２に、サービスＴＰ１００に関する自身の利益のために一部のダウンリンク・スケジューリング決定を回避するよう助言する何らかの情報を交換するために使用することができる。本発明におけるＸ２シグナリングは、ＴＰ固有であり、またある種のブロードキャスト情報ではなく本発明を既存のＯＩから大いに区別するセルＩＤを含む場合がある。
【００２２】
本発明のＸ２シグナリングによって伝達される考え得る協調メッセージは、以下の情報のすべてまたは一部を含み得る。
【００２３】
プリコーダ・インジケータ
図２は、本願の一実施形態による、ＣｏＭＰにおけるシグナリング情報交換のための方法を示す流れ図である。図３は、本発明の一実施形態による、ＣｏＭＰにおけるシグナリング情報交換のための装置１３０を示すブロック図である。装置１３０は、図１に示すサービスＴＰ１００であってもよい。
【００２４】
図２および図３に示すように、方法は、以下を含む。
【００２５】
ステップ２００では、ＵＥ１０４からのプリコーダ・フィードバックが、サービスＴＰ１００、例えば受信機１３２によって受信され、そこでは、プリコーダは、隣接ＴＰ１０２に固有である。ステップ２０２では、プリコーダが固有の隣接ＴＰ１０２に送信されるかどうかは、サービスＴＰ１００、例えばスケジューリング・プロセッサ１３４によって決定される。もし送信されるならば、ステップ１０４では、プリコーダ・インジケータは、サービスＴＰ１００、例えば圧縮機および送信機１３６によって圧縮され、圧縮されたインジケータは、固有の隣接ＴＰ１０２に送信される。
【００２６】
本発明のいくつかの実施形態では、送信が決定されたプリコーダが、最も悪い（サービスＴＰ１００の視点から。以下同様）場合がある。本発明の一実施形態では、圧縮されたインジケータは、デュアル・コードブック構造の第１のコードブック・インデックスを伴うものなどの、プリコーダの一部、類似のネットワーク重要度／コスト、ワーストＣＳＩプロセス、または固有の隣接ＴＰ、すなわち隣接ＴＰ１０２のＣＳＩ−ＲＳもしくはＣＳＩ−ＩＭＲを伴うプリコーダを含むプリコーダ・グループ、あるいはＸ２ベースのコードブック・サブサンプリングを伴うワースト・コンパニオン・プリコーダ（ｗｏｒｓｔ  ｃｏｍｐａｎｉｏｎ  ｐｒｅｃｏｄｅｒ）を示してもよい。
【００２７】
例えば、空間領域では、プリコーダ・インジケータは、隣接ＴＰ１０２によって回避されるべき、１つまたは複数のワースト・コンパニオン・プリコーダを示してもよい。
【００２８】
具体的には、いくつかの実施形態では、デュアル・コードブック・ベースのＴＰ１００およびＴＰ１０２の場合、プリコーダは、プリコーダの一部のみを示すＷ１であるか、チャネル状態が十分静的である場合、Ｗ１およびＷ２との結合プリコーダである。
【００２９】
いくつかの実施形態では、そうしたワースト・コンパニオン・プリコーダは、ワースト・コンパニオン・プリコーダのそうしたグループが、類似の影響をサービスＴＰ１００に対して有している場合、例えばＵＥ１０４への類似の干渉レベルを有している場合、グループにまとめることができる。
【００３０】
いくつかの実施形態では、ワースト・コンパニオン・プリコーダは、隣接ＴＰ１０２のＣＳＩプロセスのインデックスであるか、隣接ＴＰ１０２のＣＳＩ−ＲＳまたはＣＳＩ−ＩＭＲのインデックスであり得る。例えば、隣接ＴＰ１０２は、２つ以上のＣＳＩプロセスで構成可能であり、ＵＥ１０４は、例えばインナ・ビームやアウタ・ビームなどの、隣接ＴＰ１０２からの複数のビームを測定する。したがって、隣接ＴＰ１０２のＣＳＩプロセスのインデックスは、隣接ＴＰ１０２からのビームのうちの１つが、所与のＰＲＢ（物理リソース・ブロック）において、ＵＥ１０４に対し、他のビームよりも強力な干渉を引き起こすことを簡単に提示する。さらに、ＣＳＩ−ＲＳまたはＣＳＩ−ＩＭＲの構成もまた、ワースト・コンパニオン・プリコーダを区別するために使用される。
【００３１】
いくつかの実施形態では、そうしたワースト・コンパニオン・プリコーダは、Ｘ２シグナリングのオーバーヘッドを減らすためにサブサンプリングすることができ、また非理想的バックホールの遅延に対してより強固なものにすることができる。サブサンプリングは、固定オーバーヘッドを伴う既存のＰＵＣＣＨ（物理アップリンク制御チャネル）コードブック・サブサンプリング・メカニズムに基づくか、コードブック・サブセット・リストリクションに基づくことができる。本発明のコードブック・サブセット・リストリクションに基づくサブサンプリングは、アップリンク・フィードバック専用のコードブック・サブセット・リストリクションを再利用するのではなく、様々な非理想的バックホール遅延を考慮する。したがって、ワースト・コンパニオン・プリコーダを示すペイロード・サイズは、実際のＸ２ベースのコードブック・サブセット・リストリクションに基づくことができ、また比較的小さく別々の、例えば１ビットや２ビットなどであり得る。
【００３２】
重要度／コスト・インジケータ
重要度／コスト・インジケータは、隣接ＴＰ１０２がプリコーダ、および／または周波数ユニット、および／または時間ユニットの所与の組合せを使用する場合、サービスＴＰ１００に対する潜在的な重要度／コストを示す。プリコーダは、１つのプリコーダでも、またプリコーダのグループでもよい。周波数ユニットは、ＰＲＢ、サブバンド、または帯域幅全体でもよい。時間ユニットは、１つまたは複数のサブフレームを含んでもよい。「重要度」または「コスト」は、以下の要素を考慮する。
【００３３】
１）所与の組合せであると報告されているＵＥ１０４などの、サービスＴＰ１００のＵＥの数
２）所与の組合せであると報告されているＵＥ１０４などの、サービスＴＰ１００のＵＥのＰＲＢリソース利用
３）そうしたＵＥの組み合わせられた平均データ・レート
４）所与の組合せが、ＵＥ１０４などの、サービスＴＰ１００の複数のＵＥのうちの１つによってどの程度の頻度で報告されたか、および
５）所与の電力レベル（例えば、最大ＰＳＤ（電力スペクトル密度））を伴う所与の組合せを使用した、サービスＴＰ１００における、隣接ＴＰ１０２の結果としての、スループットの合計損失または平均損失（合計レート）の推定。
【００３４】
図４は、本願の別の実施形態による、ＣｏＭＰにおけるシグナリング情報交換のための方法を示す流れ図である。図５は、本発明の別の実施形態による、ＣｏＭＰにおけるシグナリング情報交換のための装置１５０を示すブロック図である。装置１５０は、図１に示すサービスＴＰ１００であってもよい。
【００３５】
図４および図５に示すように、方法は、以下を含む。ステップ４００では、隣接ＴＰ１０２からの、サービスＴＰ１００に対する潜在的な重要度／コストが、サービスＴＰ１００、例えば、評価機１５２によって評価される。ステップ４０２では、隣接ＴＰ１０２に対する潜在的な重要度／コストを示す、重要度／コストのインジケータが、サービスＴＰ１００、例えば、送信機１５４によって送信される。
【００３６】
例えば、干渉領域では、隣接ＴＰ１０２からの干渉は、重要度／コスト・インジケータとして使用され、それは、隣接ＴＰ１０２が、上記プリコーダ・インジケータによって示されるプリコーダを使用する場合、隣接ＴＰ１０２からの、サービスＴＰ１００に対する干渉レベルが、選択されたＰＲＢ内で所与の閾値を超えるかどうかを示す。
【００３７】
いくつかの実施形態では、ダウンリンクＣｏＭＰにおける重要度／コスト・インジケータは、明確に、例えば−８０／−１００／−１２０／−１４０ｄＢｍと定義されるか、大まかに、例えば無関係／低／中／高と定義され得る、１つまたは複数の干渉閾値を有する場合がある。「無関係」干渉とは、ＰＲＢが、次のサブフレーム内でサービスＴＰ１００に対して使用されそうにないので、いくつかのＰＲＢ内で隣接ＴＰ１０２からの制約の必要は何もないことを意味する。
【００３８】
いくつかの実施形態では、干渉閾値の数に応じて、重要度／コスト・インジケータは、ただ１つのダウンリンク干渉閾値が定義される場合、または事前定義された干渉閾値に対応する、０／１／２／３のようなマルチレベル・インジケータが定義される場合、ブーリアンであり得る。
【００３９】
いくつかの実施形態では、重要度／コスト・インジケータはまた、ＣＳＩフィードバックに基づいてＴＰ固有であり、また複数のＣＳＩプロセスを使用して報告される。したがって、サービスＴＰ１００は、隣接ＴＰ１０２に関連するＣＳＩプロセスにおいて事前に構成されている仮定された送信電力および上記ワースト・コンパニオン・プリコーダを伴う、隣接ＴＰ１０２に由来する干渉漏れを推定する。干渉漏れは、単に干渉をサービスＴＰ１００および隣接ＴＰ１０２の外に除外することによる、隣接ＴＰ１０２に対するものであってもよい。
【００４０】
一方、電力領域では、隣接ＴＰ１０２の送信電力は、重要度／コスト・インジケータとして使用され、それは、隣接ＴＰ１０２が上記プリコーダ・インジケータによって示されるプリコーダを使用する場合、隣接ＴＰ１０２からの送信電力が選択されたＰＲＢ内で特定の閾値まで減らされることを示す。
【００４１】
同様に、いくつかの実施形態では、重要度／コスト・インジケータは、ＣＳＩプロセスの構成においてシグナリングされる電力レベルに関して、明確に、例えば−８０／−１００／−１２０／−１４０ｄＢｍと定義されるか、特異的に、例えば−６ｄＢ／−３ｄＢ／０ｄＢ電力ダウンと定義され得る、１つまたは複数の送信電力閾値を有する。重要度／コストはまた、大まかに、例えば低／中／最高と定義される場合があり、そこでは、「低」は、隣接ＴＰ１０２が、プリコーダ・インジケータによってシグナリングされるプリコーダを使用する場合、低い送信電力をいくつかのＰＲＢにおいて使用すべきであることを意味し、また「最高」は、隣接ＴＰ１０２が、プリコーダ・インジケータによってシグナリングされるプリコーダを使用する場合、最高電力で送信し得ることを意味する。
【００４２】
さらに、容量領域では、容量またはスループットは、重要度／コスト・インジケータとして使用され、それは、隣接ＴＰ１０２が、仮定された送信電力を伴うプリコーダ・インジケータによって示されるワースト・コンパニオン・プリコーダを使用する場合、サービスＴＰ１００の相対容量またはスループット損失を示す。
【００４３】
いくつかの実施形態では、以後、「重要度」インジケータを導き出すためのまさにそのアルゴリズムはおそらく、大まかに、「高／中／低」の形のように定義され得るか、細かく、１から１０のスケール上の数のように定義され得るか、またはサービスＴＰ１００のスループットの比率に関連して定義され得るかであり、例えば、最高値は、「コスト＞サービスＴＰ１００のスループットの５０％」を意味し、最低値は、「コスト＜サービスＴＰ１００のスループットの５％」を意味し、また他の値は、一様に間隔を置いて並べられる。
【００４４】
周波数領域
本発明による、周波数領域のＸ２シグナリングの粒度は、情報交換のためのサブバンドのサイズとして定義される。
【００４５】
Ｘ２シグナリングの最も細かい粒度は、ＰＲＢごとである。しかし、ＣＳＩのフィードバック粒度、限られたバックホール容量、およびサービスＴＰ１００における干渉推定の限られた正確性を考慮すると、周波数領域におけるＸ２シグナリングの粒度は、サブバンド化され得るか、Ｘ２シグナリングによって示される他のサイズとなり得るかである。周波数領域の各グリッド内で、Ｘ２シグナリングは、１つもしくは複数のワースト・コンパニオン・プリコーダを含み得るプリコーダ・インジケータおよび／または本発明の重要度／コスト・インジケータの１つあるいは複数の組合せを含んでもよい。
【００４６】
周波数領域における各グリッド向けのこれらの複数の組合せは、隣接ＴＰ１０２の複数の送信仮説を提供する。一例では、複数の送信仮説は、隣接ＴＰ１０２からの最強の干渉をもたらす「ワースト」コンパニオン・プリコーダ、および重要度／コスト・インジケータの最高スコア、ならびに／または隣接ＴＰ１０２からの最小の干渉をもたらす「ベスト」コンパニオン・プリコーダ、および重要度／コスト・インジケータの最低スコアを含んでもよい。
【００４７】
隣接ＴＰ１０２によって使用される「ベスト」コンパニオン・プリコーダでさえも、場合によっては、プリコーダとチャネル状態の変化との非理想的な直交性により、依然としてサービスＴＰ１００に対する強力な干渉につながり得ることに留意されたい。したがって、隣接ＴＰ１０２が電力、またはＸ２シグナリングによって示されるＰＲＢにおけるブランキングを減らすことができることが好ましい。
【００４８】
時間領域
本発明によるＸ２シグナリングは、情報信用性のタイマーを含み得る。
【００４９】
プリコーダ、重要度／コスト、および周波数領域において与えられる、Ｘ２シグナリングによって伝達される情報は、サービスＴＰ１００の、チャネル・コヒーレンス時間およびスケジューリングの考慮により、限られたサブフレーム内で有効であり得る。起こらないかもしれない、または非理想的バックホールによりひどく遅れるかもしれない、Ｘ２シグナリングによる次のアップデートの前に、そうしたタイマーは、その間、隣接ＴＰ１０２がそうしたＸ２シグナリングを考慮に入れるであろう時間窓を提供する。そうしたタイマーが期限切れである場合、隣接ＴＰ１０２は、無効である可能性が高いそうした情報を完全に無視することができる。
【００５０】
プリコーダ、重要度／コスト、および周波数領域における情報はまた、時間領域制約に対するサブフレームのサブセットのインジケータと関連し、例えば、一部の選択されたサブフレームは、サービスＴＰ１００の観点から保護されるべきであるか、本発明による拡張Ｘ２シグナリングに従って使用されるよう制約されるべきである。
【００５１】
複数のＣＳＩプロセスおよび測定レポートの場合、本発明のＸ２シグナリングによって伝達される情報は、ＣＳ／ＣＢをより効率的にサポートするために、既存のＲＮＴＰ、ＯＩ、およびＨＩＩシグナリングとは異なる場合がある。したがって、本発明の拡張Ｘ２シグナリングによって伝達される情報は、ＴＰ固有となり得る。
【００５２】
さらに、本発明は、分散スケジューリングを採用する。分散スケジューリングは、ＯＩのダウンリンク均等物を拡張し、そこでは、より豊かな情報が、限られた情報ペイロード・サイズの、ＴＰ固有の方法で提供可能であり、したがって、隣接ＴＰは、（できれば）一部の好ましくないスケジューリング決定を回避するよう、Ｘ２インタフェースによって助言される。
【００５３】
さらに、サービスＴＰ、隣接ＴＰ、およびＵＥを含む１つの単純なＣｏＭＰのみが、本発明のいくつかの実施形態によって示されるが、本発明の教示および提案の下、拡張Ｘ２シグナリングの、複雑なＣｏＭＰシステムへの応用を当業者なら理解するであろう。
【００５４】
本発明の様々な実施形態が示され、説明されたが、本発明が、それらの実施形態に限定されるものではないことは明らかであろう。特許請求の範囲で説明されるような、本発明の趣旨および範囲から逸脱することなく、多数の修正、変更、変形、置換、および均等物が、当業者には明らかであろう。
【図１】
2018011336.tif 000003
【図２】
2018011336.tif 000004
【図３】
2018011336.tif 000005
【図４】
2018011336.tif 000006
【図５】
2018011336.tif 000007